(57)【特許請求の範囲】
【請求項１】
風呂追い焚き循環路３０と温水給湯路２０のそれぞれの熱交換パイプ２１、３１を１つのバーナ１１で兼用して熱交換加熱する１缶２回路式の熱交換缶体１０を備えた風呂釜装置であって、前記風呂追い焚き循環路３０の往き管３２と戻り管３３とをバイパスするバイパス管６０を、前記１缶２回路式の熱交換缶体１０の前記風呂追い焚き用熱交換パイプ３１の位置よりも下位の位置に配置すると共に、浴槽４０から風呂追い焚き用熱交換パイプ３１へ浴槽水を送る往き管３２に配置される循環ポンプ５０を、前記バイパス管６０の位置よりも浴槽４０側に配置することを特徴とする風呂釜装置。
【発明の詳細な説明】
【０００１】
【産業上の利用分野】
本発明は、浴槽水を追い焚き加熱する追い焚き循環路と、上水道からの水を加熱して給湯する温水給湯路との２つの回路を１つのバーナで兼用して熱交換加熱する１缶２回路式の熱交換缶体を備えた風呂釜装置に関する。
【０００２】
【従来の技術】
図３、図４にそれぞれ従来における１缶２回路式の熱交換缶体を備えた風呂釜装置の簡略構成図を示す。
先ず図３の風呂釜装置を説明する。１缶２回路式の熱交換缶体１０内に、温水給湯路２０の給湯用熱交換パイプ２１と、風呂追い焚き循環路３０の風呂追い焚き用熱交換パイプ３１とが配置されている。これらの各熱交換パイプ２１、３１には熱交換用のフィンが取り付けられている。前記熱交換缶体１０には各熱交換パイプ２１、３１を加熱するための兼用の１つのバーナ１１が設けられている。浴槽４０から熱交換缶体１０へは往き管３２が接続され、熱交換缶体１０から浴槽４０へは戻り管３３が接続され、前記風呂追い焚き用熱交換パイプ３１と往き管３２と戻り管３３とで風呂追い焚き循環路３０が構成されている。５０は風呂追い焚き循環路３０の往き管３２に設けられた循環ポンプである。
図４の風呂釜装置は、例えば浴槽４０が２階にある場合等、浴槽４０が１缶回路式の熱交換缶体１０よりも上位の位置にある場合を示しており、他の構成は図３に示した従来の風呂釜装置と同じである。
以上の図３、図４に示す従来装置において、風呂追い焚き単独運転時は、循環ポンプ５０が駆動され、浴槽水が熱交換缶体１０に循環され、バーナ１１の燃焼により風呂追い焚き用熱交換パイプ３１内で熱交換加熱される。また温水給湯単独運転時には、温水給湯路２０を通って上水道から水が給湯用熱交換パイプ２１を通って、バーナ１１の燃焼によって熱交換加熱される。風呂追い焚き運転と温水給湯運転が同時運転される場合も同様である。
【０００３】
【発明が解決しようとする課題】
ところが上記従来の１缶２回路式の風呂釜装置においては、温水給湯を単独運転する場合に、兼用のバーナ１１が運転されるため、運転休止中の追い焚き循環路３０は風呂追い焚き用熱交換パイプ３１内の残留水が高温に加熱され、高温水や高温の蒸気となって、戻り管３３を通って浴槽４０側へ運ばれたりする問題を残していた。尚、往き管３２側については熱交換缶体１０の胴パイプが長く、また循環ポンプ５０内に残水があって抵抗が大きいため、前記高温水や高温蒸気が往き管３２を通って浴槽４０側へ運ばれることは少ない。
また図４に示すように浴槽４０の位置が熱交換缶体１０よりも上位の位置に有る場合には、温水給湯単独運転時において、浴槽４０内に湯がある場合においては、戻り管３３側の温度が高くなるために、図４に示す矢印の如く、風呂追い焚き循環路３０内に自然循環による流れが生じ、温水給湯運転中に徐々に浴槽４０内の湯が沸き上げられる問題があった。
【０００４】
そこで本発明は、上記従来の風呂釜装置の課題を解決し、追い焚き循環路と温水給湯路とを兼用して加熱する１缶２回路式の熱交換缶体を備えた風呂釜装置において、温水給湯単独運転時に、追い焚き循環路内に発生した高温水や高温蒸気が浴槽側へ持ち越されないようにすることができると共に２階等にある浴槽が徐々に沸き上がったりしないようにすることができる風呂釜装置の提供を目的とする。
【０００５】
【課題を解決するための手段】
上記目的を達成するため、本発明の風呂釜装置は、風呂追い焚き循環路３０と温水給湯路２０のそれぞれの熱交換パイプ２１、３１を１つのバーナ１１で兼用して熱交換加熱する１缶２回路式の熱交換缶体１０を備えた風呂釜装置であって、前記風呂追い焚き循環路３０の往き管３２と戻り管３３とをバイパスするバイパス管６０を、前記１缶２回路式の熱交換缶体１０の前記風呂追い焚き用熱交換パイプ３１の位置よりも下位の位置に配置すると共に、浴槽４０から風呂追い焚き用熱交換パイプ３１へ浴槽水を送る往き管３２に配置される循環ポンプ５０を、前記バイパス管６０の位置よりも浴槽４０側に配置することを特徴としている。
【０００６】
【作用】
上記本発明の特徴によれば、温水給湯単独運転中において、風呂追い焚き用熱交換パイプに発生した高温水或いは高温蒸気は、熱交換缶体から浴槽への戻り管を通って浴槽側へ持ち越されようとするが、その途中でバイパス管が分岐しているため、経路が途中で２経路となって、高温水や高温蒸気の移動圧力が大幅に低下せられ、その結果、浴槽への吹き出し等が防止、低減される。
また循環ポンプが駆動し、且つ浴槽に水がない場合には、循環ポンプ内の残水は熱交換缶体側よりも抵抗の小さいバイパス管側に流れるため、熱交換缶体から戻り管を通って浴槽側へ移動しようとしている高温水や高温蒸気に循環ポンプからの水が混合され、温度の低下がなされる。
更に循環ポンプからの吐出圧がバイパス管側に逃げるので、循環ポンプからの水が風呂追い焚き用熱交換パイプに送られなくなり、風呂追い焚き用熱交換パイプ内の高温水や高温蒸気の浴槽側への移動圧力が弱くなり、浴槽への持ち越しが防止され、また十分に低減される。
また浴槽が２階等、熱交換缶体よりも上位の位置にある場合において、バイパス管によって追い焚き循環路の往き管と戻り管とが途中で連通するため、往き管と戻り管とでの温度差が生じ難くなり、また浴槽と熱交換缶体との間で自然循環しようとする温水がバイパス管を通って、熱交換缶体まで行くことなく、短絡循環するので、これによっても温度差が解消され、結局、自然循環による浴槽の沸き上げが予防される。
【０００７】
【実施例】
以下に本発明を実施例に基づいて説明する。
図１は本発明に係る風呂釜装置の第１の実施例を示す簡略構成図で、図２は本発明に係る風呂釜装置の第２の実施例を示す簡略構成図である。
【０００８】
図１の第１の実施例を先ず説明すると、１缶２回路式の熱交換缶体１０内に温水給湯路２０の給湯用熱交換パイプ２１と、風呂追い焚き循環路３０の風呂追い焚き用熱交換パイプ３１とが配置され、各熱交換パイプ２１、３１には熱交換用のフィンが取り付けられている。前記熱交換缶体１０には各熱交換パイプ２１、３１を加熱するための兼用の１つのバーナ１１が設けられている。浴槽４０から熱交換缶体１０へは往き管３２が接続され、熱交換缶体１０から浴槽４０へは戻り管３３が接続され、前記風呂追い焚き用熱交換パイプ３１と往き管３２と戻り管３３とで風呂追い焚き循環路３０が構成され、循環ポンプ５０が風呂追い焚き循環路３０の往き管３２に設けられている。以上は既述した図３に示す従来装置と同じ構成である。
【０００９】
第１の実施例においては、バイパス管６０を風呂追い焚き循環路３０の往き管３２と戻り管３３との間に設けている。該バイパス管６０の位置は、往き管３２の循環ポンプ５０よりも下流位置から分岐して戻り管３３に接続されている。またバイパス缶６０は熱交換缶体１０の風呂追い焚き用熱交換パイプ３１の位置よりも下位の（低い）位置に配置されている。
温水給湯単独運転が行われると、熱交換缶体１０内の風呂追い焚き用熱交換パイプ３１は、内部に浴槽水が循環されないので、バーナ１１の燃焼で空焚き状態となり、パイプ３１内に高温水或いは高温蒸気が発生する。この高温水或いは高温蒸気は、往き管３２側については熱交換缶体１０の胴パイプが長く、また循環ポンプ５０内に残水があって抵抗が大きいため、往き管３２を通って浴槽４０側へ運ばれることなく、その一方、熱交換缶体１０から戻り管３３を通って浴槽４０側へ持ち越されようとする。しかしながら、本実施例のように途中でバイパス管６０が分岐しているため、高温水や高温蒸気の経路が途中で２経路となり、その結果、高温水や高温蒸気の移動圧力が大幅に低下せられ、浴槽４０への吹き出し等が防止、低減される。
また循環ポンプ５０が駆動せられた場合で、且つ浴槽４０に水がない場合には、循環ポンプ５０内から吐出された残水は熱交換缶体１０側よりも抵抗の小さいバイパス管６０側に流れるため、熱交換缶体１０から戻り管３３を通って浴槽４０側へ移動しようとしている高温水や高温蒸気に循環ポンプ５０からの残水が混合され、温度の低下がなされる。
更に循環ポンプ５０からの吐出圧がバイパス管６０側に逃がされるので、循環ポンプ５０からの水が熱交換缶体１０の風呂追い焚き用熱交換パイプ３１に送られなくなり、その結果、風呂追い焚き用熱交換パイプ３１内に発生した高温水や高温蒸気の浴槽４０側への移動圧力が弱くなり、浴槽４０への持ち越しが防止され、また十分に低減される。
【００１０】
図２に示す第２の実施例は、浴槽４０を家の２階等、熱交換缶体１０よりも上位の位置に配置した例を示している。他の構成は図１に示す第１の実施例と同様である。
第２の実施例の場合には、温水給湯単独運転が行われると、熱交換缶体１０の風呂追い焚き用熱交換パイプ３１に発生した高温水や高温蒸気が戻り管３３側を往き管３２側に比べて高温にして浴槽４０と熱交換缶体１０との間の追い焚き循環路３０で温度差による自然循環を起こそうとするが、バイパス管６０が設けられているので、追い焚き循環路３０の往き管３２と戻り管３３とが途中で連通するため、往き管３２と戻り管３３とでの温度差が生じ難くなり、自然循環による加熱が減少せられる。また、バイパス管６０を設けることで、また浴槽４０と熱交換缶体１０との間で自然循環しようとする温水がバイパス管６０を通って、熱交換缶体１０まで行くことなく、短絡循環するので、これによっても温度差が解消され、結局、自然循環による浴槽４０の沸き上げが予防される。
【００１１】
【発明の効果】
本発明は以上の構成よりなり、請求項１に記載の風呂釜装置によれば、風呂追い焚き循環路と温水給湯路のそれぞれの熱交換パイプを１つのバーナで兼用して熱交換加熱する１缶２回路式の熱交換缶体を備えた風呂釜装置であって、前記風呂追い焚き循環路の往き管と戻り管とをバイパスするバイパス管を、前記１缶２回路式の熱交換缶体の前記風呂追い焚き用熱交換パイプの位置よりも下位の位置に配置すると共に、浴槽から風呂追い焚き用熱交換パイプへ浴槽水を送る往き管に配置される循環ポンプを、前記バイパス管の位置よりも浴槽側に配置することにしたので、温水給湯単独運転時において、追い焚き循環路内に発生した高温水や高温蒸気の浴槽側への移動圧力を大幅に低下することができ、結果として浴槽への吹き出し等を防止、低減することができる。
また循環ポンプが駆動し、且つ浴槽に水がない場合には、循環ポンプ内の残水をバイパス管を介して浴槽側へ移動しようとしている高温水や高温蒸気に混合することができ、結果、温度低下のよる高温水、高温蒸気の浴槽への持ち越しを防止することができる。
また循環ポンプからの吐出圧をバイパス管側に逃がすことができるので、循環ポンプ内の残水が風呂追い焚き用熱交換パイプに送られるのを減じることができ、よって風呂追い焚き用熱交換パイプ内に発生した高温水や高温蒸気の浴槽側への移動圧力を弱めることができ、高温水や高温蒸気の浴槽への持ち越しを防止乃至低減することができる。
更に浴槽が２階等、熱交換缶体よりも上位の位置にある場合において、温水給湯単独運転がなされた場合でも、バイパス管によって風呂追い焚き循環路の往き管と戻り管とでの温度差を減少させ、これによって自然循環加熱を減少させ、また風呂追い焚き循環路を自然循環しようとする温水を、バイパス管によって熱交換缶体へ循環させることなく、短絡循環させることができるので、結果として２階等に設置された浴槽の自然循環沸き上げを予防することができる。
【図面の簡単な説明】
【図１】本発明に係る風呂釜装置の第１の実施例を示す簡略構成図である。
【図２】本発明に係る風呂釜装置の第２の実施例を示す簡略構成図である。
【図３】従来の１缶２回路式の熱交換缶体を備えた風呂釜装置の簡略構成図である。
【図４】従来の１缶２回路式の熱交換缶体を備えた他の風呂釜装置の簡略構成図である。
【符号の説明】
１０  １缶２回路式の熱交換缶体
１１  バーナ
２０  温水給湯路
２１  給湯用熱交換パイプ
３０  風呂追い焚き循環路
３１  風呂追い焚き用熱交換パイプ
３２  往き管
３３  戻り管
４０  浴槽
５０  循環ポンプ
６０  バイパス管
【図１】
0003593745.tif 000002
【図２】
0003593745.tif 000003
【図３】
0003593745.tif 000004
【図４】
0003593745.tif 000005